(57)【特許請求の範囲】
【請求項１】
表示部と、
外部サーバからインターネットを介してインターネットラジオ番組を受信する受信部と、
前記受信部により受信されたインターネットラジオ番組を出力するための出力部と、
前記インターネットラジオ番組の内容が更新された更新時刻と前記インターネットラジオ番組が前記出力部から出力された出力時刻とを比較して、前記更新時刻が前記出力時刻よりも後である場合に、前記インターネットラジオ番組が更新された旨の更新情報をユーザに通知する制御を行う制御部とを備え、
前記制御部は、前記更新時刻を前記外部サーバから取得するように構成され、
前記制御部は、前記インターネットラジオ番組を前記出力部から出力した頻度に応じた所定の頻度に基づいて、前記インターネットラジオ番組の内容が更新されたか否かを確認するためにコンテンツを取得することなく前記更新時刻を取得するように構成され、
前記制御部は、前記インターネットラジオ番組を前記出力部から出力した頻度と前記インターネットラジオ番組が更新された頻度との両方の頻度の大小関係に基づいて、前記外部サーバから前記更新時刻を取得する頻度を設定するように構成されている、テレビジョン装置。
【請求項２】
ユーザによって選択された前記インターネットラジオ番組に関するお気に入り情報を格納する第１記憶部をさらに備え、
前記制御部は、前記第１記憶部に格納された前記お気に入り情報に基づいて、前記更新時刻と前記出力時刻とを比較する対象となる前記インターネットラジオ番組を選択するように構成されている、請求項１に記載のテレビジョン装置。
【請求項３】
前記表示部は、前記お気に入り情報と、前記お気に入り情報を表示させる際にユーザによって選択されるアイコンとが表示されるように構成され、
前記制御部は、前記表示部に表示された前記アイコンがユーザによって選択された際に、前記お気に入り情報に基づく前記インターネットラジオ番組の前記更新時刻と前記出力時刻とを比較するように構成されている、請求項２に記載のテレビジョン装置。
【請求項４】
前記制御部は、前記更新時刻を前記外部サーバから所定の時間間隔ごとに取得するように構成されている、請求項１〜３のいずれか１項に記載のテレビジョン装置。
【請求項５】
前記制御部は、複数の前記インターネットラジオ番組の各々に対して、前記外部サーバから前記更新時刻を取得する前記時間間隔を個別に設定可能に構成されている、請求項４に記載のテレビジョン装置。
【請求項６】
前記出力時刻を格納する第２記憶部をさらに備え、
前記制御部は、前記第２記憶部に格納された前記出力時刻と前記更新時刻とを比較するように構成されている、請求項１〜５のいずれか１項に記載のテレビジョン装置。
【請求項７】
前記表示部は、前記更新情報と前記インターネットラジオ番組の番組名とが表示されるように構成され、
前記制御部は、前記更新情報と更新された前記インターネットラジオ番組の番組名とを、互いの対応関係がユーザに認識可能なように前記表示部に表示させるように構成されている、請求項１〜６のいずれか１項に記載のテレビジョン装置。
【請求項８】
前記制御部は、更新された前記インターネットラジオ番組が前記出力部から出力された際に、前記更新情報の通知を解除する制御を行うように構成されている、請求項１〜７のいずれか１項に記載のテレビジョン装置。
【請求項９】
前記制御部は、前記外部サーバに格納された前記インターネットラジオ番組の配信元のインターネット上の場所を特定する位置指定子を用いて、前記更新時刻を取得するように構成されている、請求項１〜８のいずれか１項に記載のテレビジョン装置。
【発明の詳細な説明】
【技術分野】
【０００１】
この発明は、テレビジョン装置に関し、特に、インターネットラジオ番組が出力されるテレビジョン装置に関する。
【背景技術】
【０００２】
従来、インターネットラジオ番組が出力されるテレビジョン装置などが知られている（たとえば、特許文献１参照）。
【０００３】
上記特許文献１には、インターネットラジオ番組や任意のＵＲＬなどを、それぞれ異なる内部チャンネル番号に予め割り当てることが可能なセットトップボックスが開示されている。この特許文献１に記載されたセットトップボックスでは、割り当てられた内部チャンネル番号を選択することによって、ウェブブラウザなどを手動で起動させることなく、インターネットラジオ番組を聴いたり、ＵＲＬ上に作成されたウェブページなどを閲覧したりすることができるように構成されている。
【先行技術文献】
【特許文献】
【０００４】
【特許文献１】特表２００７−５２０９３８号公報
【発明の概要】
【発明が解決しようとする課題】
【０００５】
しかしながら、上記特許文献１に記載のセットトップボックスでは、インターネットラジオ番組の更新がユーザに事前に通知されないため、ユーザは、インターネットラジオ番組の更新の有無をインターネットラジオ番組が出力される時点まで把握することができないという問題点がある。
【０００６】
この発明は、上記のような課題を解決するためになされたものであり、この発明の１つの目的は、ユーザにインターネットラジオ番組の更新の有無を事前に通知することが可能なテレビジョン装置を提供することである。
【課題を解決するための手段および発明の効果】
【０００７】
この発明の一の局面によるテレビジョン装置は、表示部と、外部サーバからインターネットを介してインターネットラジオ番組を受信する受信部と、受信部により受信されたインターネットラジオ番組を出力するための出力部と、インターネットラジオ番組の内容が更新された更新時刻とインターネットラジオ番組が出力部から出力された出力時刻とを比較して、更新時刻が出力時刻よりも後である場合に、インターネットラジオ番組が更新された旨の更新情報をユーザに通知する制御を行う制御部とを備え、制御部は、更新時刻を外部サーバから取得するように構成され、制御部は、インターネットラジオ番組を出力部から出力した頻度に応じた所定の頻度に基づいて、インターネットラジオ番組の内容が更新されたか否かを確認するためにコンテンツを取得することなく更新時刻を取得するように構成され、制御部は、インターネットラジオ番組を出力部から出力した頻度とインターネットラジオ番組が更新された頻度との両方の頻度の大小関係に基づいて、外部サーバから更新時刻を取得する頻度を設定するように構成されている。
【０００８】
この発明の一の局面によるテレビジョン装置では、上記のように、制御部が、インターネットラジオ番組の内容が更新された更新時刻とインターネットラジオ番組が出力部から出力された出力時刻とを比較して、更新時刻が出力時刻よりも後である場合に、インターネットラジオ番組が更新された旨の更新情報をユーザに通知することによって、ユーザにインターネットラジオ番組の更新の有無を事前に通知することができる。
【０００９】
上記一の局面によるテレビジョン装置において、好ましくは、ユーザによって選択されたインターネットラジオ番組に関するお気に入り情報を格納する第１記憶部をさらに備え、制御部は、第１記憶部に格納されたお気に入り情報に基づいて、更新時刻と出力時刻とを比較する対象となるインターネットラジオ番組を選択するように構成されている。このように構成すれば、ユーザがお気に入り情報として登録したユーザが関心のあるインターネットラジオ番組のみについて更新されたことをユーザに通知することができるので、ユーザの利便性を向上させることができる。また、制御部は、ユーザにより選択されたお気に入り情報のインターネットラジオ番組についてのみ更新時刻と出力時刻とを比較して更新情報を事前にユーザに通知すればよいので、制御部における負荷をより軽減することができる。
【００１０】
この場合、好ましくは、表示部は、お気に入り情報と、お気に入り情報を表示させる際にユーザによって選択されるアイコンとが表示されるように構成され、制御部は、表示部に表示されたアイコンがユーザによって選択された際に、お気に入り情報に基づくインターネットラジオ番組の更新時刻と出力時刻とを比較するように構成されている。このように構成すれば、お気に入り情報を表示させるアイコンがユーザに選択されたことを起点として、制御部により自動的に、更新時刻と出力時刻とを比較して更新情報がユーザに通知されるので、ユーザは更新情報を知るために特別な操作を行う必要がなく、これによっても、ユーザの利便性を向上させることができる。
【００１１】
上記一の局面によるテレビジョン装置において、好ましくは、制御部は、更新時刻を外部サーバから所定の時間間隔ごとに取得するように構成されている。このように構成すれば、外部サーバから更新時刻を取得することにより、制御部はインターネットラジオ番組の内容についての更新の有無をより確実に認識することができる。また、更新時刻を外部サーバから所定の時間間隔ごとに取得することによって、更新時刻と出力時刻とを比較する際にその都度外部サーバから更新時刻を取得する場合と比べて、更新時刻と出力時刻とを比較する前に更新時刻を取得しておくことができるので、より迅速に、更新時刻と出力時刻とを比較して更新情報をユーザに通知することができる。
【００１２】
この場合、好ましくは、制御部は、複数のインターネットラジオ番組の各々に対して、外部サーバから更新時刻を取得する時間間隔を個別に設定可能に構成されている。このように構成すれば、出力される頻度および更新される頻度が多いインターネットラジオ番組に対しては更新時刻を取得する時間間隔を小さくすることによって、制御部は、より確実に、更新時刻が出力時刻よりも後である場合に更新の有無をユーザに事前に通知することができる。また、出力される頻度および更新される頻度が少ないインターネットラジオ番組に対しては更新時刻を取得する時間間隔を大きくすることによって、更新時刻と出力時刻とを比較して更新情報をユーザに通知する頻度を小さくすることができるので、制御部の負荷を軽減することができる。
【００１３】
上記一の局面によるテレビジョン装置において、好ましくは、出力時刻を格納する第２記憶部をさらに備え、制御部は、第２記憶部に格納された出力時刻と更新時刻とを比較するように構成されている。このように構成すれば、第２記憶部に格納された正確な出力時刻を用いて、更新時刻と出力時刻とを比較して、更新時刻が出力時刻よりも後である場合に更新の有無をユーザに通知することができる。
【００１４】
上記一の局面によるテレビジョン装置において、好ましくは、表示部は、更新情報とインターネットラジオ番組の番組名とが表示されるように構成され、制御部は、更新情報と更新されたインターネットラジオ番組の番組名とを、互いの対応関係がユーザに認識可能なように表示部に表示させるように構成されている。このように構成すれば、個々のインターネットラジオ番組の更新の有無をユーザにより明確に認識させることができる。
【００１５】
上記一の局面によるテレビジョン装置において、好ましくは、制御部は、更新されたインターネットラジオ番組が出力部から出力された際に、更新情報の通知を解除する制御を行うように構成されている。このように構成すれば、更新されたインターネットラジオ番組が出力された後においても更新情報の通知を続けることに起因してユーザが新たな更新が行われたと誤って認識するのを抑制することができる。
【００１６】
上記一の局面によるテレビジョン装置において、好ましくは、制御部は、外部サーバに格納されたインターネットラジオ番組の配信元のインターネット上の場所を特定する位置指定子を用いて、更新時刻を取得するように構成されている。このように構成すれば、位置指定子を用いることによって、制御部は更新時刻を容易に取得して、更新時刻と出力時刻とを比較することができる。
【図面の簡単な説明】
【００１７】
【図１】本発明の一実施形態による液晶テレビジョンを示した図である。
【図２】本発明の一実施形態によるインターネットラジオシステムの全体構成を説明するためのブロック図である。
【図３】本発明の一実施形態による液晶テレビジョンによってインターネットラジオ番組を再生する際に操作される第１選択画面を示した図である。
【図４】本発明の一実施形態による液晶テレビジョンによってインターネットラジオ番組を再生する際に操作される第２選択画面を示した図である。
【図５】本発明の一実施形態による液晶テレビジョンの制御部による再生時刻と更新時刻との比較処理について説明するための図である。
【図６】図４に示した第２選択画面においてインターネットラジオ番組が再生されている状態を示した図である。
【図７】本発明の一実施形態による液晶テレビジョンの制御部によるアクセス頻度を求める処理について説明するための表である。
【図８】本発明の一実施形態による液晶テレビジョンの制御部による更新時刻の取得処理を説明するためのフローチャートである。
【図９】本発明の一実施形態によるインターネットラジオ番組の再生および更新情報の表示の処理フローを説明するためのフローチャートである。
【発明を実施するための形態】
【００１８】
以下、本発明を具体化した実施形態を図面に基づいて説明する。
【００１９】
図１および図２を参照して、本発明の一実施形態によるインターネットラジオ番組を再生（出力）可能な液晶テレビジョン１００の構成について説明する。なお、液晶テレビジョン１００は、本発明の「テレビジョン装置」の一例である。
【００２０】
本発明の一実施形態による液晶テレビジョン１００は、図１に示すように、本体部１と、リモートコントローラ２とを備えている。また、本体部１には、平面的に見て略矩形状の筐体１０と、筐体１０の中央部に設けられた略矩形状の表示部１１と、表示部１１の水平方向の両側に設けられた音声出力部（スピーカ）１２と、リモートコントローラ２からの操作信号を受信する赤外線受信部１３とが設けられている。また、表示部１１は、画像を表示することが可能なように構成されているとともに、音声出力部１２は、音声を出力することが可能なように構成されている。なお、音声出力部１２は、本発明の「出力部」の一例である。
【００２１】
また、リモートコントローラ２は、筐体２０と、ユーザからの入力を検知する入力部２１と、入力部２１からの操作信号を赤外線を介して本体部に送信するための赤外線送信部２２（図２参照）とを含む。また、入力部２１には、表示部１１に表示されるカーソル（カーソル３０ｂおよび４０ｂ：図３および図４参照）を上下左右に動かすことが可能なカーソル操作ボタン２１ａと、カーソルが位置するアイコン１３０ａおよび１４０ａ（図３および図４参照）を選択決定するための決定ボタン２１ｂとが設けられている。
【００２２】
また、図２に示すように、液晶テレビジョン１００の本体部１には、本体部１の全体制御を司る制御部１４と、制御部１４に接続された記憶部１５と、テレビジョン放送を外部から受信するテレビジョン放送受信部１６と、インターネットと接続するための通信部１７とがさらに設けられている。この制御部１４に関しては、後に詳細に説明する。なお、通信部１７は、本発明の「受信部」の一例である。
【００２３】
また、記憶部１５は、書込み不可能なＲＯＭ１５ａと、書込み可能なＥＥＰＲＯＭ（Ｅｌｅｃｔｒｉｃａｌｌｙ  Ｅｒａｓａｂｌｅ  Ｐｒｏｇｒａｍｍａｂｌｅ  ＲＯＭ）１５ｂとを含む。ＲＯＭ１５ａには、本体部１の全体を制御するための制御プログラム（図示せず）とインターネットラジオ番組を受信して再生するためのインターネットラジオ用のプログラムとが格納されている。
【００２４】
また、ＥＥＰＲＯＭ１５ｂには、お気に入り情報と、更新時刻と、再生時刻と、アクセス頻度とが格納されている。なお、更新時刻とは、後述する配信サーバ３００において所定のインターネットラジオ番組の内容が更新された際の時刻であり、再生時刻とは、所定のインターネットラジオ番組が液晶テレビジョン１００において直近（直前）に再生された際の時刻である。また、更新時刻は、アクセス頻度に基づいて制御部１４により中継サーバ２００から取得されることによって、ＥＥＰＲＯＭ１５ｂに格納されるように構成されている。また、お気に入り情報に関しては、後に詳細に説明する。なお、ＥＥＰＲＯＭ１５ｂは、本発明の「第１記憶部」および「第２記憶部」の一例であり、再生時刻は、本発明の「出力時刻」の一例である。
【００２５】
また、液晶テレビジョン１００は、中継サーバ２００とインターネットを介して接続されている。この中継サーバ２００は、複数のインターネットラジオ番組に関する番組の情報を複数のユーザに提供するように構成されている。また、中継サーバ２００は、インターネットラジオ番組の番組データを格納する複数の配信サーバ３００とインターネットを介して接続されている。これら液晶テレビジョン１００、中継サーバ２００および複数の配信サーバ３００によって、いわゆるインターネットラジオシステムが構成されている。なお、中継サーバ２００は、本発明の「外部サーバ」の一例である。
【００２６】
中継サーバ２００は、中継サーバ２００の全体制御を司る制御部２００ａと、制御部２００ａに接続された記憶部２００ｂとを備えている。記憶部２００ｂには、後述するお気に入り情報と、配信サーバ３００が有するインターネットラジオ番組の番組データに接続する際に用いられ、インターネット上の場所を特定するためのＵＲＬ（Ｕｎｉｆｏｒｍ  Ｒｅｓｏｕｒｃｅ  Ｌｏｃａｔｏｒ）とが格納されている。また、ＵＲＬには、配信サーバ３００においてインターネットラジオ番組の内容が更新された際の更新時刻が含まれている。なお、ＵＲＬは、本発明の「位置指定子」の一例である。
【００２７】
また、液晶テレビジョン１００の制御部１４は、ＲＯＭ１５ａに格納されたインターネットラジオ用のプログラムに基づいて、インターネットラジオ番組を選択するための画面を表示部１１に表示させるとともに、ユーザによって選択されたインターネットラジオ番組を、音声出力部１２を介して音声として再生（出力）することが可能なように構成されている。具体的には、図３に示すように、表示部１１には、インターネットラジオ番組を選択するための第１選択画面３０が表示されるように構成されている。なお、第１選択画面３０および後述する第２選択画面４０は、通信部１７（図２参照）を介して中継サーバ２００（図２参照）から受信したデータと、ＲＯＭ１５ａ（図２参照）に格納されたインターネットラジオ用のプログラムとに基づいて表示される。
【００２８】
また、第１選択画面３０の左側（Ｘ１側）には、選択表示部３０ａが表示されている。選択表示部３０ａには、上方から順に「最近再生」、「お気に入り」、「地域」、「ジャンル」、「最新」および「一番人気」のフォルダ名からなるとともに、フォルダの形状を模したマークが付されたアイコン１３０ａが選択可能に表示されている。また、アイコン１３０ａを覆うようにカーソル３０ｂが選択表示部３０ａ内で上下方向に移動可能なように表示されている。なお、このカーソル３０ｂおよび後述するカーソル４０ｂは、ユーザのリモートコントローラ２のカーソル操作ボタン２１ａ（図１参照）の操作に基づいて、上下方向に移動されるとともに、決定ボタン２１ｂ（図１参照）の押下に基づいて、カーソル３０ｂ（４０ｂ）が位置するアイコン１３０ａ（１４０ａ）が選択決定されるように構成されている。
【００２９】
また、第１選択画面３０の右側（Ｘ２側）には、インターネットラジオ番組が再生されている際に、再生されているインターネットラジオ番組に関する情報などが表示される再生表示部３０ｃが設けられている。なお、図３の状態では、特定のインターネットラジオ番組が再生されていないため、再生表示部３０ｃに何も表示されておらず、液晶テレビジョン１００の音声出力部１２からも音声は出力されていない。
【００３０】
また、第１選択画面３０の選択表示部３０ａの上方には、「Ｉｎｔｅｒｎｅｔ  Ｒａｄｉｏ」と記された階層表示１３０が表示されている。この階層表示１３０によって、ユーザは、現在表示されている画面が第１選択画面３０であることを認識することが可能である。
【００３１】
また、選択表示部３０ａのアイコン１３０ａが選択決定されることによって、表示部１１には、図４に示すように、選択表示部３０ａに表示された各フォルダに対応するインターネットラジオ番組を選択するための第２選択画面４０が表示されるように構成されている。この第２選択画面４０の左側（Ｘ１側）には、選択表示部４０ａが表示されるように構成されている。また、選択表示部４０ａには、選択表示部３０ａ（図３参照）において選択されたアイコン１３０ａ（「お気に入り」）に対応するインターネットラジオ番組の番組名からなるアイコン１４０ａが選択可能に表示されるように構成されている。また、アイコン１４０ａを覆うようにカーソル４０ｂが選択表示部４０ａ内で上下方向に移動可能なように表示されている。また、ユーザがリモートコントローラ２（図１参照）において所定の操作を行うことによって、表示部１１に第２選択画面４０が表示されている状態から表示部１１に第１選択画面３０が表示される状態に戻ることが可能なように構成されている。
【００３２】
また、選択表示部３０ａ（図３参照）において「最近再生」が選択決定されると、選択表示部４０ａ（図４参照）には、ユーザにより過去の一定時間内に再生されたインターネットラジオ番組のアイコン（図示せず）が選択可能に表示されるように構成されている。また、選択表示部３０ａにおいて「地域」が選択決定されると、選択表示部４０ａには、ユーザの居住する地域において発信されるインターネットラジオ番組のアイコン（図示せず）が選択可能に表示されるように構成されている。また、選択表示部３０ａにおいて「ジャンル」が選択決定されると、選択表示部４０ａには、ジャンル（ニュースや音楽など）のアイコン（図示せず）が選択可能に表示されるように構成されている。また、選択表示部３０ａにおいて「最新」が選択決定されると、選択表示部４０ａには、中継サーバ２００に新しく登録されたインターネットラジオ番組のアイコン（図示せず）が選択可能に表示されるように構成されている。また、選択表示部３０ａにおいて「一番人気」が選択決定されると、選択表示部４０ａには、中継サーバ２００において最も人気のあるインターネットラジオ番組のアイコン（図示せず）が選択可能に表示されるように構成されている。
【００３３】
また、第２選択画面４０の右側（Ｘ２側）には、第１選択画面３０の再生表示部３０ｃと同様に、インターネットラジオ番組が再生されている際に、再生されているインターネットラジオ番組に関する情報などが表示される再生表示部４０ｃが設けられている。なお、図４の状態では、特定のインターネットラジオ番組が再生されていないため、再生表示部４０ｃには何も表示されておらず、液晶テレビジョン１００の音声出力部１２からも音声は出力されていない。
【００３４】
なお、本実施形態では、選択表示部３０ａ（図３参照）において「お気に入り」のアイコン１３０ａがユーザによって選択決定されることによって、選択表示部４０ａには、お気に入り情報に基づくインターネットラジオ番組のアイコン１４０ａが表示されるように構成されている。具体的には、選択表示部４０ａには、お気に入り情報に基づいて、上方から順に「英語ニュース」、「最新ニュース」、「ＦＭ８８８」、「古典芸能特選」、「Ｓｃｉｅｎｃｅ１００」、「ＪＡＺＺ  ａｌｗａｙｓ」および「ｃｌａｓｓｉｃ  ｃｈａｎｎｅｌ」というインターネットラジオ番組の番組名からなるとともに、音符の形状を模したマークが付されたアイコン１４０ａが選択可能に表示されている。
【００３５】
また、第２選択画面４０の選択表示部４０ａの上方には、「お気に入り」と記された階層表示１４０が表示されている。この階層表示１４０によって、ユーザは、現在表示されている画面が「お気に入り」のアイコン１３０ａを選択した際に表示される第２選択画面４０であることを認識することが可能である。
【００３６】
また、お気に入り情報は、ユーザによって予め選択されたインターネットラジオ番組に関する情報からなる。このお気に入り情報は、ユーザが再度聴きたいインターネットラジオ番組や興味のあるインターネットラジオ番組を表示部１１上で選択することによって、選択されたインターネットラジオ番組に関する情報が、お気に入り情報として中継サーバ２００の記憶部２００ｂ（図２参照）に格納されるように構成されている。そして、「お気に入り」のアイコン１３０ａ（図３参照）がユーザによって選択決定された際に、液晶テレビジョン１００の制御部１４は、通信部１７（図２参照）を介して、中継サーバ２００の記憶部２００ｂからお気に入り情報を取得して、ＥＥＰＲＯＭ１５ｂ（図２参照）に格納するように構成されている。これにより、「お気に入り」のアイコン１３０ａがユーザによって選択決定された際に、液晶テレビジョン１００のお気に入り情報と中継サーバ２００のお気に入り情報とが同期されるように構成されている。
【００３７】
ここで、本実施形態では、「お気に入り」のアイコン１３０ａがユーザによって選択決定された際に、制御部１４は、選択表示部４０ａに表示される「英語ニュース」、「最新ニュース」、「ＦＭ８８８」、「古典芸能特選」、「Ｓｃｉｅｎｃｅ１００」、「ＪＡＺＺ  ａｌｗａｙｓ」および「ｃｌａｓｓｉｃ  ｃｈａｎｎｅｌ」のうちの各々のインターネットラジオ番組について、内容が更新された更新時刻と直近に再生された再生時刻とを比較して、更新の有無を判断するように構成されている。すなわち、制御部１４は、お気に入り情報に基づいて、更新時刻と再生時刻とを比較する対象となるインターネットラジオ番組を選択して、選択されたインターネットラジオ番組の更新の有無を判断するように構成されている。
【００３８】
具体的には、図５に示すように、制御部１４は、「英語ニュース」、「最新ニュース」、「ＦＭ８８８」、「古典芸能特選」、「Ｓｃｉｅｎｃｅ１００」、「ＪＡＺＺ  ａｌｗａｙｓ」および「ｃｌａｓｓｉｃ  ｃｈａｎｎｅｌ」の各々のインターネットラジオ番組について、ＥＥＰＲＯＭ１５ｂに格納された更新時刻と再生時刻とを比較するように構成されている。そして、更新時刻が再生時刻よりも後である場合には、制御部１４は、インターネットラジオ番組が再生された後にインターネットラジオ番組の内容が更新されたと判断するように構成されている。たとえば、「英語ニュース」に関しては、更新時刻（２０＊＊／０３／２３  ２０：３０）が再生時刻（２０＊＊／０３／２３  １７：３４）よりも後であるので、制御部１４は「英語ニュース」のインターネットラジオ番組の内容が更新されていると判断する。一方、「古典芸能特選」に関しては、更新時刻（２０＊＊／０３／１８  ０５：１１）が再生時刻（２０＊＊／０３／２０  １０：４８）よりも前であるので、制御部１４は「古典芸能特選」のインターネットラジオ番組の内容は更新されていないと判断する。これにより、「英語ニュース」、「最新ニュース」、「ＦＭ８８８」および「Ｓｃｉｅｎｃｅ１００」については、各々のインターネットラジオ番組の直近の再生時刻以降に内容が更新されていると制御部１４によって判断される。
【００３９】
また、本実施形態では、図４に示すように、インターネットラジオ番組の内容が更新されていると制御部１４によって判断された「英語ニュース」、「最新ニュース」、「ＦＭ８８８」および「Ｓｃｉｅｎｃｅ１００」のアイコン１４０ａの文頭には、各々、インターネットラジオ番組の内容が更新された旨をユーザに通知するための「Ｎｅｗ」という更新情報５０が表示されるように構成されている。この際、更新されたインターネットラジオ番組の番組名と更新情報５０とが互いに対応関係にあることをユーザに認識可能なように更新情報５０は選択表示部４０ａに表示されるように構成されている。この更新情報５０により、ユーザは、インターネットラジオ番組の更新の有無を認識することが可能である。
【００４０】
また、選択表示部４０ａに表示されるアイコン１４０ａが選択されることによって、選択されたインターネットラジオ番組が再生されるように構成されている。本実施形態では、選択表示部４０ａに表示される「最新ニュース」のアイコン１４０ａが選択されることによって、液晶テレビジョン１００の制御部１４は、通信部１７を介して、中継サーバ２００の制御部２００ａに「最新ニュース」のインターネットラジオ番組の番組データを送信する要求信号を出すように構成されている。そして、中継サーバ２００の制御部２００ａは、「最新ニュース」のインターネットラジオ番組を配信する配信サーバ３００から「最新ニュース」のインターネットラジオ番組の番組データを取得して、取得した番組データを液晶テレビジョン１００の通信部１７に送信するように構成されている。これにより、液晶テレビジョン１００の制御部１４は、「最新ニュース」のインターネットラジオ番組の番組データに基づいて、「最新ニュース」のインターネットラジオ番組を音声出力部１２から再生するように構成されている。この際、インターネットラジオ番組が再生された時点の時刻を、再生されたインターネットラジオ番組の直近の再生時刻としてＥＥＰＲＯＭ１５ｂに格納（上書き保存）するように構成されている。
【００４１】
また、選択されたインターネットラジオ番組（最新ニュース）が再生された際には、図６に示すように、選択表示部４０ａに表示される「最新ニュース」のアイコン１４０ａの文頭に表示されていた更新情報５０（図４参照）が解除されるように構成されている。また、「最新ニュース」のアイコン１４０ａでは、音符のマークが、再生状態であることを示す三角形状のマークに切り換わるように構成されている。さらに、再生表示部４０ｃには、「最新ニュース」のインターネットラジオ番組の再生に関する表示がなされるとともに、液晶テレビジョン１００の音声出力部１２から「最新ニュース」のインターネットラジオ番組の音声が再生（出力）されるように構成されている。
【００４２】
具体的には、再生表示部４０ｃには、再生されているインターネットラジオ番組のロゴなどの表示がなされる画像表示部４０ｄと、再生されているインターネットラジオ番組の番組名が表示される番組名表示部４０ｅと、再生されているインターネットラジオ番組の圧縮音声ファイルフォーマットに関する情報（本実施形態ではＭＰ３）が表示されるフォーマット表示部４０ｆと、インターネットラジオ番組の再生時間が表示される再生時間表示部４０ｇとが表示されている。
【００４３】
また、制御部１４は、お気に入り情報に基づくインターネットラジオ番組のＵＲＬを中継サーバ２００から取得して、ＵＲＬからインターネットラジオ番組の更新時刻を取得するように構成されている。この際、制御部１４は、図７に示すように、個別のインターネットラジオ番組の各々に対して設定されたアクセス頻度に基づく時間間隔ごとに、各々のインターネットラジオ番組のＵＲＬを中継サーバ２００から取得するように構成されている。なお、本実施形態では、アクセス頻度が「高」であるインターネットラジオ番組（「英語ニュース」および「最新ニュース」）に関しては、半日に１回の頻度で、制御部１４はＵＲＬを中継サーバ２００から取得するように構成されている。また、アクセス頻度が「中」であるインターネットラジオ番組（「ＦＭ８８８」、「古典芸能特選」および「Ｓｃｉｅｎｃｅ１００」）に関しては、１日に１回の頻度で、制御部１４はＵＲＬを中継サーバ２００から取得するように構成されている。また、アクセス頻度が「低」であるインターネットラジオ番組（「ＪＡＺＺ  ａｌｗａｙｓ」および「ｃｌａｓｓｉｃ  ｃｈａｎｎｅｌ」）に関しては、３日に１回の頻度で、制御部１４はＵＲＬを中継サーバ２００から取得するように構成されている。
【００４４】
ここで、アクセス頻度は、インターネットラジオ番組が液晶テレビジョン１００で再生された再生頻度と、配信サーバ３００においてインターネットラジオ番組の内容が更新される更新頻度とに基づいて制御部１４により設定されるように構成されている。
【００４５】
また、再生頻度に関しては、１日に１回以上液晶テレビジョン１００で再生されているインターネットラジオ番組（「英語ニュース」および「最新ニュース」）に関しては、制御部１４は再生頻度が「高」であると判断されるように構成されている。また、１日に１回未満で、かつ、３日に１回以上液晶テレビジョン１００で再生されているインターネットラジオ番組（「ＦＭ８８８」および「古典芸能特選」）に関しては、制御部１４は再生頻度が「中」であると判断されるように構成されている。また、３日に１回以上液晶テレビジョン１００で再生されていないインターネットラジオ番組（「Ｓｃｉｅｎｃｅ１００」、「ＪＡＺＺ  ａｌｗａｙｓ」および「ｃｌａｓｓｉｃ  ｃｈａｎｎｅｌ」）に関しては、制御部１４は再生頻度が「低」であると判断されるように構成されている。
【００４６】
また、更新頻度に関しては、１日に１回以上内容が更新されているインターネットラジオ番組（「英語ニュース」、「ＦＭ８８８」および「Ｓｃｉｅｎｃｅ１００」）に関しては、制御部１４は更新頻度が「高」であると判断されるように構成されている。また、１日に１回未満で、かつ、３日に１回以上内容が更新されているインターネットラジオ番組（「最新ニュース」、「古典芸能特選」および「ＪＡＺＺ  ａｌｗａｙｓ」）に関しては、制御部１４は更新頻度が「中」であると判断されるように構成されている。また、３日に１回以上内容が更新されていないインターネットラジオ番組（「ｃｌａｓｓｉｃ  ｃｈａｎｎｅｌ」）に関しては、制御部１４は更新頻度が「低」であると判断されるように構成されている。
【００４７】
また、アクセス頻度を設定するにあたって、再生頻度が更新頻度よりも優先されて考慮されるように構成されている。たとえば、「最新ニュース」に関しては、更新頻度が「中」である一方、再生頻度が「高」であるので、再生頻度が「高」であることを優先して、アクセス頻度が「高」になるように構成されている。逆に、「ＦＭ８８８」に関しては、更新頻度が「高」である一方、再生頻度が「中」であるため、再生頻度が「中」であることを優先して、アクセス頻度が「中」になるように構成されている。なお、「Ｓｃｉｅｎｃｅ１００」に関しては、再生頻度が「低」である一方、更新頻度が「高」であるので、再生頻度と更新頻度との両方を考慮して、アクセス頻度が「中」になるように構成されている。
【００４８】
次に、図２、図３、図７および図８を参照して、本実施形態による液晶テレビジョン１００における更新時刻の取得処理について説明する。
【００４９】
まず、ステップＳ１において、制御部１４（図２参照）により、お気に入り情報に基づく（「お気に入り」のアイコン１３０ａ（図３参照）が選択された際に表示される）インターネットラジオ番組の中に更新時刻を取得すべきインターネットラジオ番組があるか否かが判断される。具体的には、前回の更新時刻取得時からアクセス頻度（図７参照）に対応する時間（半日、１日または３日）が経過したか否かが、お気に入り情報に基づくインターネットラジオ番組の各々に対して判断される。更新時刻を取得すべきインターネットラジオ番組がないと判断された場合には、更新時刻の取得処理が終了される。
【００５０】
また、ステップＳ１において、更新時刻を取得すべきインターネットラジオ番組があると判断された場合には、ステップＳ２において、制御部１４により、中継サーバ２００の制御部２００ａ（図２参照）に対して、更新時刻を取得すべきインターネットラジオ番組の番組データの位置を示すＵＲＬの送信を要求する信号が通信部１７を介して発信される。そして、ステップＳ３において、制御部１４により、中継サーバ２００からＵＲＬを受信したか否かが判断される。このステップＳ３においては、ＵＲＬを受信したと判断されるまで上記判断が繰り返される。
【００５１】
また、ステップＳ３において、中継サーバ２００（図２参照）からＵＲＬを受信したと判断された場合には、ステップＳ４において、制御部１４により、中継サーバ２００から受信したＵＲＬに基づいて、更新時刻を取得すべきインターネットラジオ番組の更新時刻が取得されて、ＥＥＰＲＯＭ１５ｂ（図２参照）に格納される。そして、更新時刻の取得処理が終了される。
【００５２】
次に、図２〜図４および図９を参照して、本実施形態による液晶テレビジョン１００におけるインターネットラジオ番組の再生および更新情報の表示の処理フローについて説明する。
【００５３】
まず、ステップＳ１１において、制御部１４（図２参照）により、選択表示部３０ａ（図３参照）において「お気に入り」のアイコン１３０ａ（図３参照）がユーザによって選択決定されたか否かが判断される。「お気に入り」のアイコン１３０ａがユーザによって選択決定されていないと判断された場合には、インターネットラジオ番組の再生および更新情報の表示の処理が終了される。
【００５４】
また、ステップＳ１１において、「お気に入り」のアイコン１３０ａがユーザによって選択決定されたと判断された場合には、ステップＳ１２において、制御部１４により、お気に入り情報に基づくインターネットラジオ番組の各々（「英語ニュース」、「最新ニュース」、「ＦＭ８８８」、「古典芸能特選」、「Ｓｃｉｅｎｃｅ１００」、「ＪＡＺＺ  ａｌｗａｙｓ」および「ｃｌａｓｓｉｃ  ｃｈａｎｎｅｌ」）に対して、それぞれ、ＥＥＰＲＯＭ１５ｂ（図２参照）に格納された更新時刻と再生時刻とを比較して、更新時刻が再生時刻よりも後の番組があるか否かが判断される。更新時刻が再生時刻よりも後の番組がないと判断された場合には、ステップＳ１４に進む。また、更新時刻が再生時刻よりも後の番組があると判断された場合には、ステップＳ１３において、制御部１４により、更新時刻が再生時刻よりも後のインターネットラジオ番組のアイコン１４０ａの文頭に、更新された旨をユーザに通知するための「Ｎｅｗ」という更新情報５０（図４参照）が表示される。そして、ステップＳ１４に進む。
【００５５】
また、ステップＳ１４において、制御部１４により、選択表示部４０ａにおいて、お気に入り情報に基づくインターネットラジオ番組のいずれかがユーザによって選択されたか否かが判断される。インターネットラジオ番組のいずれもユーザによって選択されていないと判断された場合には、ステップＳ１８に進む。また、インターネットラジオ番組のいずれかがユーザによって選択されたと判断された場合には、ステップＳ１５において、制御部１４により、ユーザによって選択されたインターネットラジオ番組の番組データを中継サーバ２００から取得してインターネットラジオ番組が再生されるとともに、現在の時刻が再生時刻として、ＥＥＰＲＯＭ１５ｂに格納される。
【００５６】
そして、ステップＳ１６において、制御部１４により、再生されたインターネットラジオ番組のアイコン１４０ａの文頭に、「Ｎｅｗ」という更新情報５０が表示されているか否かが判断される。「Ｎｅｗ」が表示されていないと判断された場合には、ステップＳ１８に進む。また、「Ｎｅｗ」が表示されていると判断された場合には、ステップＳ１７において、制御部１４により、再生されたインターネットラジオ番組のアイコン１４０ａの文頭の「Ｎｅｗ」という更新情報５０の表示が解除される。
【００５７】
最後に、ステップＳ１８において、制御部１４により、ユーザによる所定の操作に基づいて表示部１１の表示が第２選択画面４０から第１選択画面３０に戻されることなどによって、「お気に入り」のフォルダが閉じられたか否かが判断される。「お気に入り」のフォルダは閉じられていないと判断された場合には、ステップＳ１４に戻る。また、「お気に入り」のフォルダが閉じられたと判断された場合には、インターネットラジオ番組の再生および更新情報の表示の処理が終了される。
【００５８】
本実施形態では、上記のように、インターネットラジオ番組の内容が更新された更新時刻が、インターネットラジオ番組が音声出力部１２から再生された再生時刻よりも後である場合には、制御部１４は、インターネットラジオ番組が再生された後にインターネットラジオ番組の内容が更新されたと判断するとともに、内容が更新されていると判断されたインターネットラジオ番組のアイコン１４０ａの文頭に、インターネットラジオ番組の内容が更新された旨をユーザに通知するための「Ｎｅｗ」という更新情報５０を表示することによって、ユーザにインターネットラジオ番組の更新の有無を事前に通知することができる。
【００５９】
また、本実施形態では、上記のように、「お気に入り」のアイコン１３０ａがユーザによって選択決定された際に、制御部１４が、お気に入り情報に基づくインターネットラジオ番組（「英語ニュース」、「最新ニュース」、「ＦＭ８８８」、「古典芸能特選」、「Ｓｃｉｅｎｃｅ１００」、「ＪＡＺＺ  ａｌｗａｙｓ」および「ｃｌａｓｓｉｃ  ｃｈａｎｎｅｌ」）の更新時刻と再生時刻とを比較することによって、ユーザがお気に入り情報として登録したユーザが関心のあるインターネットラジオ番組のみについて、更新されたことをユーザに通知することができるので、ユーザの利便性を向上させることができる。また、制御部１４は、ユーザにより選択されたお気に入り情報のインターネットラジオ番組についてのみ更新時刻と再生時刻とを比較して更新情報を事前にユーザに通知すればよいので、制御部１４における負荷をより軽減することができる。また、「お気に入り」のアイコン１３０ａがユーザに選択されたことを起点として、制御部１４により自動的に、更新時刻と再生時刻とを比較して更新情報５０が選択表示部４０ａに表示されるので、ユーザは更新情報５０を知るために特別な操作を行う必要がなく、これによっても、ユーザの利便性を向上させることができる。
【００６０】
また、本実施形態では、上記のように、制御部１４が、個別のインターネットラジオ番組の各々に対して求められたアクセス頻度に基づいて、各々のインターネットラジオ番組の更新時刻を中継サーバ２００から取得するように構成することによって、制御部１４はインターネットラジオ番組の内容についての更新の有無をより確実に認識することができる。また、更新時刻を中継サーバ２００からアクセス頻度に基づいて取得することによって、更新時刻と再生時刻とを比較する際にその都度中継サーバ２００から更新時刻を取得する場合と比べて、更新時刻と再生時刻とを比較する前に更新時刻を取得しておくことができるので、より迅速に、更新時刻と再生時刻とを比較して更新情報５０を選択表示部４０ａに表示することができる。
【００６１】
また、本実施形態では、上記のように、アクセス頻度を、インターネットラジオ番組が液晶テレビジョン１００で再生された再生頻度と、配信サーバ３００においてインターネットラジオ番組の内容が更新される更新頻度とに基づいて設定することによって、再生頻度および更新頻度が多いインターネットラジオ番組に対しては更新時刻を取得する時間間隔（アクセス頻度）を小さくすることによって、制御部１４は、より確実に、更新情報５０を選択表示部４０ａに表示することができる。また、再生頻度および更新頻度が少ないインターネットラジオ番組に対しては更新時刻を取得する時間間隔を大きくすることによって、更新時刻と再生時刻とを比較して更新情報５０を選択表示部４０ａに表示する頻度を小さくすることができるので、制御部１４の負荷を軽減することができる。
【００６２】
また、本実施形態では、上記のように、ＥＥＰＲＯＭ１５ｂに再生時刻を格納することによって、ＥＥＰＲＯＭ１５ｂに格納された正確な再生時刻を用いて、更新時刻と再生時刻とを比較して、更新時刻が再生時刻よりも後である場合に更新情報５０を選択表示部４０ａに表示することができる。
【００６３】
また、本実施形態では、上記のように、更新されたインターネットラジオ番組の番組名と更新情報５０とが互いに対応関係にあることをユーザに認識可能なように選択表示部４０ａに表示することによって、個々のインターネットラジオ番組の更新の有無をユーザにより明確に認識させることができる。
【００６４】
また、本実施形態では、上記のように、選択されたインターネットラジオ番組（最新ニュース）が再生された際には、選択表示部４０ａに表示される「最新ニュース」のアイコン１４０ａの文頭に表示されていた更新情報５０を解除することによって、更新されたインターネットラジオ番組が出力された後においても更新情報５０を選択表示部４０ａに表示し続けることに起因してユーザが新たな更新が行われたと誤って認識するのを抑制することができる。
【００６５】
また、本実施形態では、上記のように、制御部１４が、お気に入り情報に基づくインターネットラジオ番組のＵＲＬを中継サーバ２００から取得して、ＵＲＬからインターネットラジオ番組の更新時刻を取得するように構成することによって、ＵＲＬを用いることによって、制御部１４は更新時刻を容易に取得して、更新時刻と再生時刻とを比較することができる。
【００６６】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００６７】
たとえば、上記実施形態では、本発明のテレビジョン装置を液晶テレビジョン１００に適用した例について示したが、本発明はこれに限られない。たとえば、プラズマ表示画面を有するプラズマテレビジョンなど、液晶方式以外の表示方式を有するテレビジョン装置に本発明のテレビジョン装置を適用してもよい。
【００６８】
また、上記実施形態では、インターネットラジオ番組の各々に対して設定されたアクセス頻度に基づく時間間隔ごとに、更新時刻が含まれるＵＲＬを中継サーバ２００から取得した例について示したが、本発明はこれに限らない。本発明では、所定の時間間隔ごとでなく、更新時刻と再生時刻（出力時刻）とを比較するたびに、更新時刻が含まれるＵＲＬを中継サーバから取得してもよい。
【００６９】
また、上記実施形態では、インターネットラジオ番組のアイコン１４０ａの文頭に、インターネットラジオ番組の内容が更新された旨をユーザに通知するための「Ｎｅｗ」という更新情報５０を表示した例について示したが、本発明はこれに限らない。たとえば、インターネットラジオ番組のアイコンを点滅表示や反転表示することによって、インターネットラジオ番組の内容が更新された旨をユーザに通知してもよい。また、表示部に表示せずに音声によってインターネットラジオ番組の内容が更新された旨を通知するように構成してもよい。
【００７０】
また、上記実施形態では、「お気に入り」のアイコン１３０ａがユーザによって選択決定された際に、インターネットラジオ番組の更新時刻と再生時刻とを比較した例について示したが、本発明はこれに限らない。たとえば、インターネットラジオ用のプログラムが起動された際に、更新時刻と再生時刻とを比較するように構成してもよい。
【００７１】
また、上記実施形態では、お気に入り情報に基づく（「お気に入り」のアイコン１３０ａが選択された際に表示される）インターネットラジオ番組に対して更新時刻と再生時刻とを比較した例について示したが、本発明はこれに限らない。本発明では、お気に入り情報に基づくインターネットラジオ番組だけでなく、その他のインターネットラジオ番組に関しても、更新時刻と再生時刻とを比較して、更新を通知するように構成してもよい。
【００７２】
また、上記実施形態では、アクセス頻度をインターネットラジオ番組が液晶テレビジョン１００で再生された再生頻度と、配信サーバ３００においてインターネットラジオ番組の内容が更新される更新頻度とに基づいて設定した例について示したが、本発明はこれに限らない。本発明では、アクセス頻度を再生頻度または更新頻度のいずれか一方のみに基づいて設定してもよい。
【００７３】
また、上記実施形態では、アクセス頻度を設定するにあたって、再生頻度が更新頻度よりも優先されて考慮された例について示したが、本発明はこれに限らない。本発明では、更新頻度が再生頻度よりも優先されて考慮されてもよいし、再生頻度と更新頻度とが同等に考慮されてもよい。
【００７４】
また、上記実施形態では、アクセス頻度、再生頻度および更新頻度を３段階（「高」、「中」、「低」）に分類した例について示したが、本発明はこれに限らない。本発明では、アクセス頻度、再生頻度および更新頻度を２段階または４段階以上に分類してもよい。また、再生頻度および更新頻度の３段階（「高」、「中」、「低」）を判断する基準（１日に１回以上など）は特に限定されず、たとえば２日に１回以上などの異なる基準でもよい。同様に、アクセス頻度（１日に１回など）も特に限定されず、たとえば２日に１回などの異なる頻度でもよい。
【００７５】
また、上記実施形態では、ＵＲＬからインターネットラジオ番組の更新時刻を取得した例について示したが、本発明はこれに限らない。たとえば、中継サーバに更新時刻を格納させて、中継サーバに格納した更新時刻を液晶テレビジョンが受信するように構成してもよい。
【００７６】
また、上記実施形態では、中継サーバ２００にインターネットラジオ番組の番組データが格納されておらず、中継サーバ２００に接続された複数の配信サーバ３００にインターネットラジオ番組の番組データが格納された例について示したが、本発明はこれに限られない。本発明では、中継サーバにインターネットラジオ番組の番組データが格納されていてもよい。
【符号の説明】
【００７７】
１１  表示部
１２  音声出力部（出力部）
１４  制御部
１５ｂ  ＥＥＰＲＯＭ（第１記憶部、第２記憶部）
１７  通信部（受信部）
５０  更新情報
１００  液晶テレビジョン（テレビジョン装置）
１３０ａ  アイコン
２００  中継サーバ（外部サーバ）
【図１】
0005531741.tif 000002
【図２】
0005531741.tif 000003
【図３】
0005531741.tif 000004
【図４】
0005531741.tif 000005
【図５】
0005531741.tif 000006
【図６】
0005531741.tif 000007
【図７】
0005531741.tif 000008
【図８】
0005531741.tif 000009
【図９】
0005531741.tif 000010